(57)【要約】【課題】ゴム部材と板部材とを正確に位置合わせした上で後接着により強固に固定することができる防振装置を提供する。【解決手段】スタビライザリンク１が挿通される中空部１６を持つゴム部材１２と、その一方面２２に接着剤４２を用いて固定される板部材１４を備える防振装置１０において、板部材１４には、ゴム部材の一方面２２から離間する方向に陥没して当該一方面との間に空間部３０を形成する凹部３２を設け、ゴム部材の一方面２２には、空間部３０内に突出する接着用突起３８を設けるとともに、板部材１４に当接することで一方面２２の外周縁２２Ａと板部材１４との間に空間部３０につながる隙間４６を形成するための隙間形成用突起４０を設け、隙間４６から空間部３０内に接着剤４２を流し込んで接着用突起３８と板部材１４とを強固に接着固定させる。【選択図】        図４
2007205524.tif 000002
【特許請求の範囲】
【請求項１】
軸部材が挿通される中空部を持つ環状のゴム部材と、
前記ゴム部材の一方面に接着剤を用いて固定されるものであって前記中空部と同心状の穴を持つ剛性材料からなる板部材とを備えてなり、
前記板部材には、前記ゴム部材の前記一方面から離間する方向に陥没して当該一方面との間に空間部を形成する凹部が設けられ、
前記ゴム部材の前記一方面には、前記空間部内に突出する接着用突起が設けられるとともに、前記板部材に当接することで前記一方面の外周縁と前記板部材との間に前記空間部につながる隙間を形成するための隙間形成用突起が設けられ、前記隙間から前記空間部内に流し込まれた接着剤により前記接着用突起と前記板部材とが接着固定された
ことを特徴とする防振装置。
【請求項２】
前記接着用突起の先端面と前記板部材との間に隙間が設けられ、該隙間に流れ込んだ接着剤により前記接着用突起の前記先端面と前記板部材とが接着されたことを特徴とする請求項１記載の防振装置。
【請求項３】
前記接着用突起の側壁に前記接着剤からなる接着剤層が付着形成されたことを特徴とする請求項１又は２記載の防振装置。
【請求項４】
前記接着用突起が周方向に等間隔に複数設けられるとともに、該接着用突起の内周側に前記隙間形成用突起が周方向に等間隔に複数設けられたことを特徴とする請求項１〜３のいずれかに記載の防振装置。
【発明の詳細な説明】
【技術分野】
【０００１】
本発明は、防振装置に関し、特に、ゴム部材と、その一方面に接着固定される板部材とを備えてなる防振装置に関するものである。
【背景技術】
【０００２】
従来、例えば、自動車のサスペンション機構と車体側部材との間に介設されるストラットマウントや、自動車のスタビライザリンクとロアアーム等の車体側部材との間に介設されるブッシュには、軸部材（例えば、ショックアブソーバのロッドやスタビライザリンク）が挿通される中空部を持つ環状のゴム部材と、前記ゴム部材の上面又は下面に配される金属製の板部材とを備えたものが用いられることがある（ストラットマウントに関して下記特許文献１〜３参照、スタビライザリンクのブッシュに関して下記特許文献４参照）。
【０００３】
上記特許文献に開示の技術において、上記ゴム部材と板部材とは一般に非接着とされており、板部材と車体側部材との間でゴム部材を挟持固定するように構成されている。
【特許文献１】特開平１１−１３８２５号公報
【特許文献２】特開２０００−１９９５３７号公報
【特許文献３】特開２００４−１００８７８号公報
【特許文献４】特開平８−１２７２２０号公報
【発明の開示】
【発明が解決しようとする課題】
【０００４】
上記のようにゴム部材と板部材が非接着である場合、ゴム部材と板部材との間で打音による異音が問題となることがある。特に、スタビライザリンクのブッシュでは、スタビライザリンクの軸が傾くようなこじれ方向での変位が主荷重入力方向となるため、異音が生じやすい。かかる異音の防止には、ゴム部材と板部材を接着すればよいが、両者をゴム部材の加硫成形時に一体に加硫接着する場合、ゴム部材に残留応力の問題が生じる。そのため、ゴム部材を加硫成形した後に、接着剤を用いて板部材を接着固定することが有効である。
【０００５】
このように板部材を後接着する場合、ゴム部材又は板部材の接着面に接着剤を塗布してから両者の接着面を合わせて接着する方策もあるが、その場合、特に上記防振装置のようにゴム部材と板部材を同心状に固定する必要があるものでは、両者の位置合わせが容易でない。そのため、ゴム部材と板部材とを同心状に位置合わせしてから、液状の接着剤を外周側から両者の界面に流し込んで接着することが考えられるが、その場合に、ゴム部材における接着面となる面の外周縁と板部材とが隙間なく当接していると、接着剤が内側の接合界面に流れ込んでいかないため、高い接着強度が得られず、早期に剥離してしまうという問題がある。
【０００６】
本発明は、このような問題点に鑑みてなされたものであり、ゴム部材と板部材とを正確に位置合わせした上で後接着により強固に固定することができる防振装置を提供することを目的とする。
【課題を解決するための手段】
【０００７】
本発明に係る防振装置は、軸部材が挿通される中空部を持つ環状のゴム部材と、前記ゴム部材の一方面に接着剤を用いて固定されるものであって前記中空部と同心状の穴を持つ剛性材料からなる板部材とを備えてなり、前記板部材には、前記ゴム部材の前記一方面から離間する方向に陥没して当該一方面との間に空間部を形成する凹部が設けられ、前記ゴム部材の前記一方面には、前記空間部内に突出する接着用突起が設けられるとともに、前記板部材に当接することで前記一方面の外周縁と前記板部材との間に前記空間部につながる隙間を形成するための隙間形成用突起が設けられ、前記隙間から前記空間部内に流し込まれた接着剤により前記接着用突起と前記板部材とが接着固定されたものである。
【０００８】
上記構成において、前記接着用突起の先端面と前記板部材との間にも隙間が設けられ、この隙間に流れ込んだ接着剤により前記接着用突起の前記先端面と前記板部材とが接着されていると、更に強固な接着力が得られる。
【０００９】
また、上記構成において、前記接着用突起の側壁に前記接着剤からなる接着剤層が付着形成されていると、接着面積が増加することで接着力を一層向上させることができる。
【００１０】
また、上記構成においては、前記接着用突起が周方向に等間隔に複数設けられるとともに、該接着用突起の内周側に前記隙間形成用突起が周方向に等間隔に複数設けられていることが好ましい。
【発明の効果】
【００１１】
本発明の防振装置では、ゴム部材と板部材とを後接着により固定するに際し、両者を正確に位置合わせした上で、ゴム部材の周りから液状の接着剤を流し込む。すると、隙間形成用突起によりゴム部材の外周縁と板部材との間に隙間が設けられているので、この隙間から内側の空間部に接着剤が流れ込み、流れ込んだ接着剤によりゴム部材の接着用突起と板部材とが接着固定されるので、強固な接着力が得られる。よって、接着耐久性が向上し、異音を防止することができる。
【発明を実施するための最良の形態】
【００１２】
以下に本発明の一実施形態に係る防振装置１０を図面に基づいて説明する。
【００１３】
本実施形態に係る防振装置１０は、図５に示すように、スタビライザリンク１をサスペンションのロアアームなどの車体側部材２に防振的に結合するために、両者１，２の間に介設されるものである。ここで、スタビライザリンクとは、スタビライザバーの端部をロアアームなどの車体側部材に連結するための部材である。
【００１４】
図５に示すように、防振装置１０は、軸部材であるスタビライザリンク１が挿通される中空部１６を持つ環状のゴム部材１２と、金属等の剛性材料からなる板部材１４とを、車体側部材２を挟んで上下それぞれに対向させて配置し、挿通させたスタビライザリンク１の先端（即ち、下端）をナット等の締結部材３で軸方向に締め付けることにより構成されている。なお、符号１８は、上側のゴム部材１２Ａの下面を受ける金属等の剛性材料からなる板状の受け部材である。該受け部材１８は、中央の穴の周縁部が下方に筒状に延設されて筒状部２０を構成しており、該筒状部２０が車体側部材２の開口部４内に嵌入されている。
【００１５】
以下、上記ゴム部材１２と板部材１４の構成について詳細に説明する。
【００１６】
図１，２に示すように、ゴム部材１２は、中空円柱状をなし、その軸方向の一方面２２は平坦な基本形状を持ち、他方面２４には中空部１６と同軸かつ同一内径を持つ小径の筒状延設部２６が突出形成されている。ここで、一方面２２とは、上側のゴム部材１２Ａでは上面、下側のゴム部材１２Ｂでは下面のことである。また、筒状延設部２６は、上記受け部材１８の筒状部２０内に、先端面同士を突き合わせた状態で嵌合配置されている。
【００１７】
板部材１４は、ゴム部材１２の一方面２２に接着剤を用いて固定されるものであり、外形がゴム部材１２と同様の円形状をなし、その中央には中空部１６と同心状の円形の穴２８が設けられている。
【００１８】
図３に示すように、板部材１４には、ゴム部材１２の一方面２２から離間する方向（即ち、上方）に陥没して、当該一方面２２との間に空間部３０を形成する凹部３２が設けられている。凹部３２は、図３に示す断面形状においてなだらかな湾曲状に陥没形成されており、そのため、空間部３０は断面形状が弓形状に形成されている。また、凹部３２は、周方向の全周にわたって環状に形成されており、そのため、空間部３０も環状をなしている。そして、凹部３２より径方向内方側の板部材の中央部３４は、軸方向において凹部３２よりもゴム部材１２側に位置しており、凹部３２より径方向外方側の板部材の周縁部３６は、軸方向において上記中央部３４よりもゴム部材１２側に位置しており、先端は径方向外向きにフランジ状に形成されている。
【００１９】
ゴム部材１２の上記一方面２２には、空間部３０内に突出する複数の接着用突起３８が設けられるとともに、板部材１４に当接する複数の隙間形成用突起４０が設けられている。接着用突起３８は、接着剤４２により板部材１４に対して強固に接着される部位であり、凹部３２の最も深い箇所に向かって突出形成されている（図４参照）。
【００２０】
一方、隙間形成用突起４０は、板部材１４に当接することにより、一方面２２の外周縁２２Ａと板部材１４との間に空間部３０につながる隙間４４を形成するためのものであり、板部材１４の隆起した中央部３４に当接するように設けられている（図４参照）。該突起４０は、上記隙間４４が、その外周側から液状の接着剤４２を空間部３０に流し込むことができ、かつ、接着剤４２の表面張力により該隙間４４に接着剤４２が残存して硬化し上記外周縁２２Ａと板部材１４とを接着できるような寸法に設定されており、接着用突起３８よりも低く形成されている。このような特性を満足する隙間４４は、接着剤４２の粘度等により異なり一概には言えないが、例えば、０．５〜１ｍｍ程度である。
【００２１】
また、隙間形成用突起４０の板部材１４への当接により、接着用突起３８の先端面３８Ａと板部材１４との間にも隙間４６が確保されている。この隙間４６は、空間部３０内に流し込まれた接着剤４２が隙間４６内に進入して、接着用突起３８の先端面３８Ａと板部材１４とを接着固定することができる程度に設定されている。
【００２２】
図１に示すように、接着用突起３８は、周方向の３箇所に等間隔に設けられており、周方向に所定の長さを持つ円弧状に形成されている。このような円弧状とすることで接着面積を確保して接着強度を高めることができ、また、複数を等間隔に配することで、突起３８の内周側への接着剤４２の回り込みを容易にしつつ、周方向での接着強度の均一化を図ることができる。隙間形成用突起４０は、接着用突起３８の内周側において、周方向の３箇所に等間隔に設けられており、ゴム部材１２の成形性のため、接着用突起３８とは周方向で互い違いに並設されている。
【００２３】
なお、符号４８は、車両への組付け前におけるスタビライザリンク１の脱落防止用小突起であり、ゴム部材１２の中空部１６の内周面に設けられている。該小突起４８は、周方向における２箇所に突出形成されている。
【００２４】
上記防振装置１０を製造するに際しては、ゴム部材１２を上記構成に加硫成形し、これとは別に、板部材１４を上記構成にプレス成形等により形成しておく。そして、図３に示すように、ゴム部材１２の上記一方面２２に板部材１４を重ね合わせて、両者を正確に位置合わせする（軸芯を一致させる）。その後、図４に示すように、両部材１２，１４の重ね合わせ部に対し、その外周側の上記隙間４４から、矢印Ｑで示すように、液状の接着剤４２を流し込む。ここで、接着剤４２としては、特に限定されるものではないが、シアノアクリル酸エステルを主成分として含む瞬間接着剤を用いることが好ましい。
【００２５】
このようにして付与された接着剤４２は、隙間形成用突起４０によりゴム部材１２の外周縁２２Ａと板部材１４との間に隙間４４が設けられているので、この隙間４４から内側の空間部３０に接着剤４２が流れ込み、流れ込んだ接着剤４２によりゴム部材１２の接着用突起３８と板部材１４とが接着固定されるとともに、上記隙間４４部分でもゴム部材１２の外周縁２２Ａと板部材１４とが接着固定される。
【００２６】
特に、本実施形態では、接着用突起３８の先端面３８Ａと板部材１４との間にも隙間４６が設けられ、この隙間４６に流れ込んだ接着剤４２により該先端面３８Ａと板部材１４とが接着されるので、更に強固な接着力が得られる。また、図４に示すように、接着剤４２の表面張力ないしぬれ性により、接着用突起３８の側壁３８Ｂを接着剤４２が上昇して該側壁３８Ｂに接着剤層４２Ａが付着形成されるので、その分、接着面積が増加して接着力を一層向上させることができる。
【００２７】
なお、接着剤４２は、上記空間部３０を完全に充填するように流し込む必要はなく、接着用突起３８の側壁３８Ｂに接着剤層４２Ａが膜状に形成される程度でも高い接着強度が得られ、またそのようにした方が接着剤４２の使用量を減らして低コスト化が図られる。
【００２８】
以上より、ゴム部材１２と板部材１４とは、正確に位置合わせした上で、後接着により強固に接着されるので、接着耐久性が向上し、異音を持続的に防止することができる。
【産業上の利用可能性】
【００２９】
本発明は、自動車のスタビライザリンクとロアアーム等の車体側部材との間に介設されるブッシュや、自動車のサスペンション機構と車体側部材との間に介設されるストラットマウントなどの各種防振装置に利用することができる。
【図面の簡単な説明】
【００３０】
【図１】本発明の一実施形態に係る防振装置のゴム部材の平面図である。
【図２】図１のII−II線断面図である。
【図３】該ゴム部材と板部材とを結合した状態を示す図２に対応する断面図である。
【図４】該ゴム部材と板部材との接着固定した状態を示す要部拡大断面図である。
【図５】該防振装置の車両への組み付け状態を示す断面図である。
【符号の説明】
【００３１】
１…スタビライザリンク（軸部材）、１０…防振装置、１２…ゴム部材、１４…板部材、１６…中空部、２２…一方面、２２A…外周縁、２８…穴、３０…空間部、３２…凹部、３８…接着用突起、３８A…先端面、３８Ｂ…側壁、４０…隙間形成用突起、４２…接着剤、４２Ａ…接着剤層、４４…一方面の外周縁と板部材との間の隙間、４６…接着用突起の先端面と板部材との間の隙間
【図１】
2007205524.tif 000003
【図２】
2007205524.tif 000004
【図３】
2007205524.tif 000005
【図４】
2007205524.tif 000006
【図５】
2007205524.tif 000007